(57)【要約】無線通信システム（５００）は、多数の通信資源を複数の移動局（５１２−５１６）に提供する。無線通信システムは、通話ギャッピングプロセスを用い、また、複数の移動局（５１２−５１６）の１つによって開始された通信を宛先ノードに転送するための多数の通信経路を含む。複数の移動局（５１２−５１６）の１つ又は複数は、通話ギャッピングプロセスを行うように構成されている。また、通信ユニット及び輻輳解放の方法が提供される。提示された手法は、無線通信環境での無線インターフェイストラフィックを最小化するために、無線加入者ユニットによって用いられるように拡張された通話ギャッピングを用いて輻輳解放を行う。このようにして、通話は、最終的に未接続通話になった場合、発呼が阻止される。
2006524942.tif 000002
【特許請求の範囲】
【請求項１】
複数の移動局（５１２−５１６）に複数の通信資源を提供する無線通信システム（５００）であって、
前記通無線通信システムは、通話ギャッピングプロセスを用い、また、前記複数の移動局（５１２−５１６）の１つによって開始された通信を宛先ノードに転送するための複数の通信経路を含む無線通信システムにおいて、
前記複数の移動局（５１２−５１６）の１つ又は複数が、前記通話ギャッピングプロセスを行うように構成されていることを特徴とする無線通信システム。
【請求項２】
請求項１に記載の無線通信システム（５００）において、
前記複数の移動局（５１２−５１６）の前記１つ又は複数によって用いられる前記通話ギャッピングプロセスは、通常の通信に先立って行われて、成功する見込みのない通話が開始され、前記移動局（５１２）から送られることを防止する無線通信システム。
【請求項３】
請求項２に記載の無線通信システムにおいて、
要求された通話の無線通信システム（５００）へのアクセスが阻止された後、通信システムがビジーであるという表示がユーザに提供される無線通信システム。
【請求項４】
請求項１乃至３のいずれか１項に記載の無線通信システム（５００）において、
前記通信システム（５００）は、更に、１つ又は複数のアドレス又は宛先ノードがいつ過負荷状態になるか判断する通信装置であって、その判断に応答して、複数の移動局に前記１つ又は複数のアドレス又は宛先ノードに対して自動制御通話ギャッピングプロセスを開始させるように指示する通信装置を備えることを特徴とする通信システム。
【請求項５】
請求項１乃至４のいずれか１項に記載の無線通信システム（５００）において、
前記複数の移動局（５１２−５１６）の前記１つ又は複数には、例えば、短いメッセージサービスを用いて、１つ又は複数の通話ギャッピング命令を含む無線メッセージが送られる無線通信システム。
【請求項６】
請求項５に記載の無線通信システム（５００）において、
前記１つ又は複数の通話ギャッピング命令は、
（ｉ）宛先ノードの１つ又は複数のアドレス、
（ｉｉ）１つ又は複数の電話番号、
（ｉｉｉ）１つ又は複数の通話ブロッキングレート、及び／又は、
（ｉｖ）タイムアウト値、
のうちの１つ又は複数を含む無線通信システム。
【請求項７】
請求項１乃至６のいずれか１項に記載の無線通信システム（５００）において、
前記無線通信システム（５００）は、ＧＳＭ又はＧＰＲＳ又はＵＭＴＳシステムである無線通信システム。
【請求項８】
通信ユニットであって、
請求項１乃至７のいずれか１項に記載の無線通信システムにおける無線通信ユニットの通話ギャッピング動作を円滑にするように構成された通信ユニット（５１２、５３６、５４６）。
【請求項９】
請求項８に記載の通信ユニット（５３６）において、
前記通信ユニットは、前記複数の移動局（５１２−５１６）の１つ又は複数に通話ギャッピング命令を提供するように構成された基地交換サイトである通信ユニット。
【請求項１０】
請求項８に記載の通信ユニット（５４６）において、
前記通信ユニットは、前記複数の移動局（５１２−５１６）の１つ又は複数に転送される通話ギャッピング命令を生成するように構成された運用管理センタ（５４６）である通信ユニット。
【請求項１１】
請求項８に記載の通信ユニット（５１２）において、
前記通信ユニットは、自動制御方式の通話ギャッピング動作を行うように構成された移動局（５１２）である通信ユニット。
【請求項１２】
請求項８乃至１１のいずれか１項に記載の通信ユニット（５１２、５２２、５４６）において、
前記通信ユニット（５１２、５２２、５４６）は、ＧＳＭ又はＧＰＲＳ又はＵＭＴＳ又はＩＳ−９５又はＣＤＭＡ２０００又はインターネットプロトコル経由の音声を用いるパソコン上で動作するように構成されている通信ユニット。
【請求項１３】
無線通信システムにおける輻輳解放の方法（７００、８００、９００）であって、
通話ギャッピング動作モードを呼び出す段階を備えた方法において、
前記無線通信システムで動作する無線通信ユニットにおいて前記通話ギャッピングプロセスを実行する段階（９００）を備えることを特徴とする方法。
【請求項１４】
請求項１３に記載の無線通信システムにおける輻輳解放の方法であって、更に、
要求された通話の無線通信システム（５００）へのアクセスが阻止された後、通信システムがビジーであることをユーザに示す段階を備えることを特徴とする方法。
【請求項１５】
請求項１３又は請求項１４に記載の無線通信システムにおける輻輳解放の方法であって、更に、
いつ１つ又は複数のアドレス又は宛先ノードが過負荷の状態になるか判断する段階と、
その判断に応答して、前記１つ又は複数のアドレス又は宛先ノード用の自動制御通話ギャッピングプロセスを複数の移動局に開始させるように命令する段階とを備えることを特徴とする方法。
【請求項１６】
請求項１３乃至１５のいずれか１項に記載の無線通信システムにおける輻輳解放の方法であって、更に、
無線メッセージを前記複数の移動局の前記１つ又は複数に送る段階を備え、前記メッセージは、１つ又は複数の通話ギャッピング命令を含むことを特徴とする方法。
【請求項１７】
請求項１３乃至１６のいずれか１項に記載の無線通信システムにおける輻輳解放の方法であって、前記１つ又は複数の通話ギャッピング命令は、
（ｉ）宛先ノードの１つ又は複数のアドレス、
（ｉｉ）１つ又は複数の電話番号、
（ｉｉｉ）１つ又は複数の通話ブロッキングレート、及び／又は
（ｉｖ）タイムアウト値、
の１つ又は複数を含む方法。
【請求項１８】
記憶媒体であって、プロセッサを制御して請求項１３乃至１７のいずれか１項の方法の段階を実行するためのプロセッサ実行可能命令を記録している記憶媒体。
【発明の詳細な説明】
【技術分野】
【０００１】
本発明は、通信システムにおけるネットワーク輻輳を低減するためのメカニズムに関する。本発明は、限定はしないが、セルラ通信システムにおけるネットワーク輻輳を低減するために、無線加入者ユニットがそれらの動作を自己制御するメカニズムに適用可能である。
【背景技術】
【０００２】
無線通信システム、例えば、セルラ電話又は専用移動無線通信システムは、通常、複数の送受信機基地局（ＢＴＳ：  Ｂａｓｅ  Ｔｒａｎｓｃｅｉｖｅｒ  Ｓｔａｔｉｏｎ）と、多くの場合、移動局（ＭＳ：  Ｍｏｂｉｌｅ  Ｓｔａｔｉｏｎ）と称される複数の加入者ユニットとの間に構成される無線通信リンクを提供する。
【０００３】
無線通信システムにおいて、各ＢＴＳは、それに対応して、特定の地理的有効範囲を有する。送信機パワーレベル及び受信機感度性能は、有効範囲を定め、この有効範囲において、ＢＴＳは、ＭＳとの通信を許容可能な状態に維持し得る。通常、有効範囲は、重なり領域として構成され、ＭＳが領域間を移動する際、連続通信を円滑にする。有効範囲は、一般的に、セルと称され、セルを組み合わせて広大な有効範囲の通信システムを生成し、例えば、全国的な有効範囲を提供し得る。
【０００４】
無線通信システムは、公衆交換電話網（ＰＳＴＮ：  Ｐｕｂｌｉｃ  Ｓｗｉｔｃｈｅｄ  Ｔｅｌｅｐｈｏｎｅ  Ｎｅｔｗｏｒｋ）等の固定通信システムとは区別されるが、主として、移動局は、異なるＢＴＳ（及び／又は異なるサービスプロバイダ）によってサービスが提供される有効範囲間を移動し、そのように移動する際、変動する無線伝搬環境に遭遇するという点で固定通信システムとは区別される。従って、無線通信システムにおいて、ＭＳは、異なる地理的領域／セル間を移動する時、ハンドオーバ動作を行う。このように、ＭＳの通信は、通常、最高品質の信号／通信リンクを提供する最も近くのＢＴＳによってサポートされ得る。各ＢＴＳは、共に基地交換サイト（ＢＳＳ）を形成する基地サイトコントローラ（ＢＳＣ：  Ｂａｓｅ  Ｓｉｔｅ  Ｃｏｎｔｒｏｌｌｅｒ）に接続される。
【０００５】
主に音声及び短いデータメッセージ伝達通信を提供する確立された統一セルラ無線通信システムは、移動体通信用地球規模システム（ＧＳＭ：  Ｇｌｏｂａｌ  Ｓｙｓｔｅｍ  ｆｏｒ  Ｍｏｂｉｌｅ  ｃｏｍｍｕｎｉｃａｔｉｏｎｓ）である。このセルラ技術の強化版が開発されており、一般パケット無線システム（ＧＰＲＳ：  Ｇｅｎｅｒａｌ  Ｐａｃｋｅｔ  Ｒａｄｉｏ  Ｓｙｓｔｅｍ）と称される。ＧＰＲＳは、ＧＳＭの回線交換セルラプラットフォーム上でパケット交換技術を提供する。
【０００６】
固定ネットワークは、それぞれのＢＳＣを通して全てのＢＴＳを相互接続する。この固定ネットワークには、通信回線、交換機、他の通信ネットワークへのインターフェイス、及びネットワークを動作するために必要な様々なコントローラが含まれる。ＭＳからの通話は、固定ネットワークを経由して、通話によって識別される宛先ノード又は通信ユニットに送られる。通話が同じ通信システムの２つのＭＳ間であれば、通話は、固定ネットワークを経由して、他のＭＳが現時点で配置されているセルのＢＴＳに送られる。
【０００７】
こうして、接続が、固定ネットワークを通して、２つのサービス提供セル間で確立される。他の選択肢として、通話がＭＳと、公衆交換電話網（ＰＳＴＮ）に接続された電話との間であれば、通話は、サービス提供ＢＴＳからセルラ移動体通信システムとＰＳＴＮとの間のインターフェイスに送られる。そして、通話は、ＰＳＴＮによってインターフェイスから電話に送られる。
【０００８】
通信システムの分野では、特定のイベントが電気通信システムのネットワーク負荷を増大させ、通信リンクの障害を誘発し得ることが知られている。例えば、故障、緊急事態、宣伝キャンペーン、テレビ電話ホットライン等のイベントが、特定の番号又は一組の番号への非常に多くの通話発呼の原因となって、ネットワーク負荷を増大し得ることが知られている。
【０００９】
このようなケースは、図１の無線通信システム１００に示される。多数の無線加入者ユニット１１０が、特定の電話番号、例えば、電話番号Ｘ１６０と接触しようと試みる。このため、無線インターフェイス資源は、無線送信情報１１５を加入者ユニット個々のＢＳＳ１２０に搬送するために酷使される。無線ＢＴＳと無線交換機１３０との間の固定ネットワーク接続１２５もまた、大きな負荷がかかるようになる。そして、これら全ての通話は、コアネットワーク１４０を経由して宛先交換機１５０に送られる。一般的に、限定した数の電話線が、宛先ユニットＸ１６０によって利用され、これらの通話を宛先交換機１５０から受信する。従って、膨大な数の着信通話が、貴重な資源を占有するが、最終的には、宛先交換機１５０によって拒否される。
【００１０】
極端な状況下において、目標電話交換機１５０は、非常に多くの着信通話発呼を拒否する負荷の下では、障害が生じ得ることが知られている。これは、深刻な問題であり、ネットワーク運用者は、このような事態の発生に対して予防処置を取る職員を待機させている。
【００１１】
固定通信ネットワークにおけるこの問題を解決するために一般に用いられる公知の手法は、''通話ギャッピング（ｃａｌｌ  ｇａｐｐｉｎｇ）''と称される。第２の公知の手法は、''コードブロッキングである。''コードブロッキング手法は、特定の宛先コード／アドレスに転送されるある割合の通話をブロックする。ほとんどの場合、コードブロック制御は、着呼局のアドレスも含むように指定し得る。
【００１２】
一方、通話ギャッピング制御は、コードブロック制御と同様に、特定のコード又は局アドレスへの転送を制限する。通話ギャッピングは、例えば、１６の異なる時間間隔から選択された時間間隔の間、指定されたコードに対する全ての通話を停止する調整可能なタイマから成る。その時間間隔の終了後、指定されたコード又はアドレスへの１つの通話が、ネットワークへのアクセスを許可され、その後、通話ギャッピング手順が、他の時間間隔の間、再開される。通話ギャッピングは、大量の発呼状況を制御する際、コードブロック制御より効果的であることが知られている。
【００１３】
図２の概念図２００は、通話ギャッピングの概念を示す。通話ギャッピングは、ある割合の着信通話発呼を自動的に拒否する段階を伴う。拒否プロセスは、コアネットワーク１４０への入口電話交換機２３０において、ルート輻輳を回避するように構成される。これらの自動的に拒否された通話は、コアネットワーク１４０における過負荷の宛先地点１５０に決してアクセスしないため、この地点での信号送信負荷及びコアネットワーク１４０全体の信号送信負荷が低減される。
【００１４】
通常、特定の宛先地点１５０が過剰な量の通話発呼に遭遇している又は遭遇する恐れがある場合、全ての電話交換機１３０において、その番号に対して通話ギャッピングが起動される。通話ギャッピング動作状態を設定し修正するためのプロセスを、図３のフローチャート３００に示す。
【００１５】
無線通信システムの運用管理センタ（ＯＭＣ：  Ｏｐｅｒａｔｉｏｎ  ａｎｄ  Ｍａｎａｇｅｍｅｎｔ  Ｃｅｎｔｒｅ）は、如何に又どんな条件下で、通話ギャッピングを呼び出すかについて判断する。ステップ３１０において、アイドル状態から開始して、ＯＭＣ（又は運用者）は、過負荷／輻輳ネットワーク状況が特定のネットワークノードＡに存在することを通知される（又は認識する）。これに応答して、ＯＭＣは、ステップ３２０に示すように、通話ギャッピングプロセスを呼び出す。そして、ＯＭＣは、メッセージを全ての通信交換機能（ルータ、ゲートウェイ等）に送り、それらの特定のノードにおいて通話ギャッピングを開始する。通話ギャッピングは、ステップ３３０に示すように、通信交換機能で受信され特定の番号又は一組の番号に向けられた通話のＸ％に適用される。そして、ＯＭＣは、イベントが終了すると、ステップ３６０において、アイドルモードに戻る。
【００１６】
従って、通話ギャッピングは、多数の発信電話交換機がその宛先番号に対して発呼したＹの内のＸ通話を自動的に拒否する。このようにして、Ｙ通話の内の（Ｙ−Ｘ）のみが、実際に発信元の交換機から発せられ宛先交換機に到達する。
【００１７】
同様に、ＯＭＣ（又は運用者）は、過負荷／輻輳状況がもはや存在しないと認識又は通知されると、ステップ３４０において、通話ギャッピングプロセスを修正する。この修正がなされると、ＯＭＣは、ステップ３５０において、メッセージを全ての交換機に送り、宛先ノードＡ用のそれらの通話ギャッピングプロセスを修正し、ステップ３６０において、アイドル動作モードに戻る。
【００１８】
交換機の動作は、図４のフローチャート４００に示す。この場合、交換機は、次の３つの内１つの方法で、ステップ４０５において、アイドル動作モードから復帰する。交換機は、ＯＭＣからメッセージを受信し、ステップ４１０において、宛先ノード、特定の電話番号又は一組の番号に対する通話ギャッピングを呼び出してＸ％の通話をブロックする。そして、交換機は、ステップ４１５において、Ｘ％の通話をブロックするという規則で、宛先ノード（１つ又は複数）／番号（１つ又は複数）用のその通話ギャッピングリストを更新する。そして、交換機は、通話ギャッピングを実行する一方で、ステップ４５５において、アイドル動作モードに戻る。
【００１９】
交換機が通話ギャッピング動作モードを呼び出した後、交換機は、ステップ４３０に示すように、部分的にブロックされた宛先ノードへの通話発呼を受信すると、ステップ４０５において、アイドル動作モードから復帰し得る。ステップ４３５に示すように、通話の意図した宛先が通常通り通話ギャッピングリストにないと交換機が判断した場合、交換機は、ステップ４４５において、通話を設定し、ステップ４５５において、アイドル動作モードに戻る。しかしながら、ステップ４３５において、通話の意図した宛先が通話ギャッピングリストにあると交換機が判断した場合、交換機は、例えば、通話ギャッピングを呼び出す。この場合、通話ギャッピングの呼び出しによって、制御対象コード又は一組のコードに対する１つの接続要求が、各ノードによってネットワークに受け入れられる。この接続は、ｘ秒毎に１回許される。その受け入れられた接続要求の後到着する接続要求は、次のｙ秒の間いずれも拒否される。このように、通話ギャッピングは、ステップ４４０に示すように、正常な接続要求の数を実質的に制限し、特定の着目地点に対するネットワークの過負荷を防止する。
【００２０】
交換機が、生成したランダムな数の値が要求されたブロッキング比率値を超えると判断した場合、交換機は、ステップ４４５において、宛先への通話を設定し、ステップ４５５において、アイドル動作モードに戻る。しかしながら、交換機が、生成したランダムな数の値が要求されたブロッキング比率値以下であると判断した場合、交換機は、ステップ４４５において、宛先への通話を設定しない。そして、交換機は、「ネットワークビジー」メッセージを発呼者に戻し、ステップ４５５において、それ自体アイドル動作モードに戻る。
【００２１】
このようにして、通話ギャッピングは、固定ネットワークに対して効果的である。しかしながら、通話ギャッピング手法は、ＧＳＭセルラ通信システム等の共有無線インターフェイスを用いる移動体ネットワークに利用される場合、その効果は極めて小さい。
【００２２】
米国特許第５５４８５３３号、表題「移動体通信システムの交換ネットワークにおける中央プロセッサのための過負荷制御」には、移動無線システムの交換ネットワークにおける中央プロセッサのためのネットワーク過負荷制御メカニズムが述べられている。中央プロセッサは、移動体交換局（ＭＳＣ）の一部であってよい。米国特許第５５４８５３３号においては、中央プロセッサでのメッセージ待機処理によって生じた遅延に基づく輻輳レポートが、周辺プロセッサに一斉送信される。周辺プロセッサは、ＭＳＣにおいて、送受信機基地局（ＢＴＳ）、ＰＳＴＮ、又は他のＭＳＣ等、他のネットワーク要素へのＭＳＣのインターフェイスに配置される。従って、ＭＳＣは、無線加入者ユニットから受信された多数の通話発呼を拒否するように構成されている。
【発明の開示】
【発明が解決しようとする課題】
【００２３】
しかしながら、事実上成功の見込みがほとんど又は全くない移動体ユーザからの大量の通話発呼は、依然として、貴重で希少な無線資源を消費する。特に、普通でないイベント、例えば、道路での事故は、過剰な移動体通話が特定の領域で行われ、これによって、その領域の全ての移動体ユーザに対して通信問題を引き起こす原因となり得る。
【００２４】
このように、本発明の分野において、ネットワーク過負荷状況における輻輳解放のための通信システム及び方法であって、上記不利な点を軽減し得る通信システム及び方法を提供する必要がある。
【課題を解決するための手段】
【００２５】
本発明の第１の側面に基づき、請求項１に記載した無線通信システムを提供する。
本発明の第２の側面に基づき、請求項８に記載した通信ユニットを提供する。
本発明の第３の側面に基づき、請求項１３に記載した輻輳解放の方法を提供する。
【００２６】
本発明の第４の側面に基づき、請求項１８に記載した記憶媒体を提供する。
要約すると、本発明の概念は、通話ギャッピングメカニズムを無線加入者ユニットにまで移して、無線インターフェイス並びにサービス提供通信ユニットから発信交換機への通信リンクの無駄な使用を最小化することによって、従来技術に関連する問題を軽減する。
【００２７】
従って、通話ギャッピング機能を無線加入者ユニットに移すことによって、宛先ノード又は交換機が処理できない通話が決して発信されないように防止される。これによって、ネットワークのあらゆる部位での無駄な輻輳が防止される。好適には、通話ギャッピングパラメータは、セルサイトに一斉送信され、それら上で全ての加入者ユニットに伝達される。
【発明を実施するための最良の形態】
【００２８】
次に、本発明の代表的な実施形態について、添付図面を参照して説明する。
まず、図５を参照すると、例えば、移動体通信（ＧＳＭ）無線インターフェイス用地球規模システムをサポートする本発明の好適な実施形態に基づくセルラ電話通信システム５００が概略的に示されている。欧州電気通信標準協会（ＥＴＳＩ：  Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅ）は、移動体通信（ＧＳＭ）用地球規模システムのための無線インターフェイスを標準化した。
【００２９】
一般的に、無線インターフェイスプロトコルは、基地局送受信機サイトから管理され、基地局送受信機サイトは、ネットワークアーキテクチャ５１０内において、地理的に離間され、１つの基地局が１つのセル（又は、例えば、セルのセクタ）をサポートする。複数の加入者ユニット（以下、移動局（ＭＳ）５１２−５１６と称する）は、選択された無線インターフェイス５１８−５２０上で複数の送受信機基地局（ＢＴＳ）５２２−５３２と通信を行う。分かり易くする目的のためにのみ、限定した数のＭＳ５１２−５１６及びＢＴＳ５２２−５３２を示す。ＢＴＳ５２２−５３２は、基地局コントローラ（ＢＳＣ）５３６−５４０及び移動体交換局（ＭＳＣ）５４２−５４４を通して、従来の公衆交換電話網（ＰＳＴＮ）５３４に接続し得る。
【００３０】
各ＢＴＳ５２２−５３２は、主として、その一次のセルにサービスを提供するように設計されており、各ＢＴＳ５２２−５３２は、１つ又は複数の送受信機ユニットを含み、セルラシステムのインフラの他の部分と通信５５６−５６６を行う。
【００３１】
各基地局コントローラ（ＢＳＣ）５３６−５４０は、ＢＳＣ５３６−５４０がＭＳＣ５４２−５４４を通して全般的に相互接続された状態で、１つ又は複数のＢＴＳ５２２−５３２を制御し得る。ＢＴＳ−ＢＳＣの組合せは、一般的に、基地交換サイト（ＢＳＳ）と称される。当業者には理解されるように、各ＭＳＣ５４２−５４４は、ＰＳＴＮ５３４へのゲートウェイを提供し、ＭＳＣ５４２−５４４は、セルラ電話通信システム５００の全般的な制御を管理する運用管理センタ（ＯＭＣ）５４６を通して相互接続される。
【００３２】
ＢＳＣ５３６−５３８及びＯＭＣ５４６等の様々なシステム要素は、制御論理回路５４８、５５０、５５２を含み、これら様々なシステム要素は、通常、（分かり易くするためにＢＳＣ５３８との関係でのみ示す）対応するメモリ機能５５４を有する。ＯＭＣ５４６のメモリ機能は、通常、時系列的に集計された演算データ並びに着信通話データ、通話ギャッピングブロッキング比率及び関連する宛先ノード／番号等を記憶する。
【００３３】
図５は、一般パケット無線システム（ＧＰＲＳ）無線インターフェイスに適用したＧＳＭシステムを示し、ＧＳＭシステムは、パケットデータ機能を提供する。このように、ＭＳ５１２等の多数のパケットデータ処理性能を有する加入者ユニットは、ＧＳＭネットワーク上で回線交換（ＣＳ）通話を介して、また、ＧＰＲＳネットワーク上でパケットデータ通話を介して、通信可能である。ＧＰＲＳネットワークには、サービスＧＰＲＳ支援ノード（ＳＧＳＮ：  Ｓｅｒｖｉｃｅ  ＧＰＲＳ  Ｓｕｐｐｏｔ  Ｎｏｄｅ）５７２、５８２に動作可能に接続された多数のパケット制御ユニット（ＰＣＵ）５７０、５８０が含まれ、ＭＳからインターネット５３４等のパケットデータネットワークへの通信を円滑にする。ＳＧＳＮ５７２、５８２（分かり易くする目的のためのみに、２個のみ示す）が、ＧＳＭ・ＢＳＣ５３６−５３８に動作可能に接続されている。ＳＧＳＮは、ＧＰＲＳゲートウェイ支援ノードＧＧＳＮ５７４、５８４を介して、外部のパケットデータネットワークに動作可能に接続されている。
【００３４】
本発明の好適な実施形態に基づき、ＯＭＣ及びＭＳＣによって通常実現される通話ギャッピングプロセスは、無線インターフェイス通信ユニット、即ち、ＢＴＳ及びＭＳに拡張された。特に、発信交換機よりもむしろ、無線インターフェイス通信ユニットが通話ギャッピングを呼び出すように構成され、これによって、ブロッキング通話発呼を発信源でブロックすることにより無線資源の無駄な使用を防止する。通話経路設定に対する修正の概念図を図６に示す。ＯＭＣ、ＢＴＳ及びＭＳ動作への適用例を図７乃至図９のフローチャートに示す。
【００３５】
一般的に、ＯＭＣ５４６、ＢＴＳ５２２及びＭＳ５１２における通話ギャッピング動作の変更は、本発明の好適な実施形態に基づきプログラム化されるが、何らかの適切な方法でそれぞれの通信ユニットにおいて実現し得る。例えば、新しい装置は、従来のＢＴＳ５２２又はＭＳ５１２に付加し得る。あるいは、他の選択肢として、従来のＢＴＳ５２２又はＭＳ５１２の既存部分は、例えば、そこの１つ又は複数のプロセッサを再プログラミングすることによって適合させ得る。このように、必要な改造は、フロッピィディスク、ハードディスク、プログラム可能な読取専用メモリ（ＰＲＯＭ）、ランダムアクセスメモリ（ＲＡＭ）又はこれらのもしくは他の記憶媒体の任意の組合せ等、記憶媒体上に記憶されたプロセッサ実行可能命令の形態で実現し得る。
【００３６】
次に、図６を参照して、セルラ無線通信システム６００の概念図を示すが、ここで、図は、本発明の好適な実施形態に用いられる通話ギャッピングを示す。特定の宛先ノード／電話番号１５０は、過剰な量の通話発呼に遭遇している又は遭遇する恐れがあるとして扱う。このため、通話ギャッピングは、例えば、コアネットワーク１４０に動作可能に接続されたＯＭＣによって、その特定の宛先ノード／電話番号１５０のために呼び出される。
【００３７】
本発明の好適な実施形態に基づき、ＯＭＣは、ＢＳＳ（ＢＳＣ及びＢＴＳ）、及びＢＳＳによってサービスが提供されるそれぞれのＭＳに指示して、ＭＳベースの通話ギャッピングプロセスを開始させる。このように、限定した数の無線加入者ユニット６１０が、特定の宛先ノード／電話番号Ｘ１６０との接触を試みる。ＭＳは、無線インターフェイスベースの通信の生成と伝送を制限するために、自動制御の通話ギャッピングプロセスを実施するように構成されている。自動制御プロセスによって、ある与えられた割合の通話だけが確実に行われ、幾つかのＭＳ６１０が自動制御プロセスにおいて成功し、他のＭＳ６１２等は成功しない。どのＭＳが成功するか判断する好適なメカニズムについては、後述する。
【００３８】
こうして、無線インターフェイス資源の利用は、加入者ユニットのそれぞれのＢＳＳ６２０にそのような無線送信情報６１５を搬送する際、大幅に減少する。また、利点として、このような送信情報を搬送する際、無線ＢＴＳと無線交換機１３０との間の固定ネットワーク接続６２５の利用が大幅に減少する。そして、生成される通話は、無線インターフェイスを介して送信され、コアネットワーク１４０を経由して宛先交換機１５０に送られる。しかしながら、特に、発信交換機１３０に到達する通話の数は極めて少ない。
【００３９】
ほとんどの着信通話は、宛先交換機１５０によって拒否されない。このように、非常に多くの通信経路／ルートが最適に利用され、輻輳化が回避され、これらの通信経路／ルートで搬送され、かつ拒否される通話発呼の数は極めて少なくなる。
【００４０】
本発明の好適な実施形態に基づき、ＯＭＣにおける通話ギャッピング動作を設定し、修正するためのプロセスを、図７のフローチャート７００に示す。無線通信システムの運用管理センタ（ＯＭＣ）、例えば、図５のＯＭＣ５４６は、如何に又どんな条件下で通話ギャッピングを呼び出すかを判断する。ステップ７１０において、アイドル状態から開始して、ＯＭＣ（又は運用者）に、過負荷のネットワーク条件が特定のネットワークノードＡに存在することが通知される（又は認識する）。これに応答して、ＯＭＣは、ステップ７２０に示すように、通話ギャッピングプロセスを呼び出す。そして、ＯＭＣは、メッセージを全ての通信交換機能（ルータ、ゲートウェイ等）に送り、その特定の交換機によってサポートされる全てのＭＳにおいて通話ギャッピングプロセスを開始する。
【００４１】
本発明の好適な実施形態において、メッセージは、影響を受けるセルの一斉送信チャネル上でＭＳに送られる。好適には、このメッセージには、ＭＳが自動制御式の通話ギャッピングを行い得るように、次の情報項目、即ち、
（ｉ）通話ギャッピングメカニズムが適用される予定の過負荷交換機の電話番号、
（ｉｉ）通話ギャッピングメカニズムが適用される予定の過負荷交換機の一組の又はある範囲の電話番号群、
（ｉｉｉ）ＭＳからの進行が許容され得る通話の割合数、及び／又は
（ｉｖ）通話ギャッピングメカニズムが動作状態である継続時間、の１つ又は複数が含まれる。
【００４２】
本発明の改良された実施形態において、２つ以上の番号範囲を一斉送信メッセージに含み得る。例えば、過負荷のネットワークに関連して用いられる全ての番号に第１の全般的な制約が適用し得る。この第１の範囲を適用すると、例えば、１０％の通話発呼が用いられるようになる。例えば、第２の範囲が緊急番号に特有である場合、第２の範囲もまた用い得る。従って、第２の範囲は、これら通話の１００％を通過させ得る。当業者は、数多くの他の選択肢としての用途が、２個以上のブロッキング比率値を用い得ることを認識するであろう。
【００４３】
更に、上記発明の概念が、任意の１つ又は複数の宛先アドレスを用いて通話ギャッピングに適用し得ることは、本発明の想定の範囲内である。従って、発明の概念は、単一の番号、一覧番号、（例えば、特定の交換機コードにおけるアドレスの一部に対する）ある範囲の番号、幾つかの範囲の番号等に適用し得る。
【００４４】
再度を図７参照すると、ステップ７３０に示すように、ＯＭＣからのメッセージに応答して、ＭＳは、特定の番号又は一組の番号に向けられたＸ％の通話の通話ギャッピングを開始するように指示される。そして、ＯＭＣは、ステップ７６０において、イベントが終了するまで、アイドルモードに戻る。
【００４５】
従って、好適な実施形態の通話ギャッピングプロセスによって、その宛先番号に意図されたＹの内のＸ無線インターフェイス通話が自動的に低減される。従って、Ｙ通話の内の（Ｙ−Ｘ）のみが、実際に、無線ＭＳからそのサービス提供ＢＴＳ／ＢＳＳに送られ、最終的に、発信交換機を介して宛先交換機に送られる。
【００４６】
同様に、ＯＭＣ（又は運用者）は、ステップ７４０に示すように、ネットワーク過負荷／輻輳状況がもはや存在しないことを認識するか、又は通知されると、通話ギャッピングプロセスを修正する。この修正がなされると、ステップ７５０において、ＯＭＣは、メッセージを全ての交換機に送り、ＭＳ自動制御通話ギャッピングプロセスを修正し、ステップ７６０において、アイドル動作モードに戻る。
【００４７】
通話ブロッキングプロセスを“修正する”という用語は、通話ブロッキングリストが修正された（例えば、アドレスリストが変更された可能性がある）又は終了した（例えば、アドレスリストは、現時点で空である）ことを示す。
【００４８】
本発明の好適な実施形態では、通話ギャッピングプロセスは直ちに使用可能であり、これによって、（ＭＳユーザによって認識される）幾つかの無線通話が成功する。同様に、幾つかの無線通話発呼が''ネットワークビジー''通知を受信する。しかしながら、利点として、本明細書に述べた発明の概念によって、通話ギャッピングプロセスは、あらゆる通話発呼が電気通信ネットワークに発せられる前に確実に実行される。このようにして、通話のフィルタ処理は、発信源において、即ち、発信端末内部で実行される。
【００４９】
特に、通話ギャッピングプロセスは、ネットワークによって供給される情報に基づき、呼び出される。次に、図８を参照して、本発明の好適な実施形態に基づく、ＢＳＳの好適な通話ギャッピングメカニズムのフローチャート８００を示す。
【００５０】
無線通信システムの基地交換サイト（ＢＳＳ）、例えば、（図５の基地交換サイトを形成する）ＢＴＳ５３２及びＢＳＣ５３６は、ＯＭＣから命令を受信し、通話ギャッピングプロセスを呼び出す。ステップ８０５において、アイドル状態から開始して、ＢＳＳに、例えば、特定の電話番号（１つ又は複数）又はネットワークノードＡにおける過負荷で、かつ輻輳したネットワーク条件が通知される。ステップ８１０に示すように、ＢＳＳに、通話ギャッピングプロセスを開始し、電話番号（１つ又は複数）又はネットワークノードＡへのＸ％の通話をブロックする必要があることが通知される。これに応答して、ＢＳＳは、ステップ８１５に示すように、その通話ギャッピングリストを更新する。そして、ＢＳＳは、好適には、ステップ８２０において、メッセージをＢＳＳによってサポートされる全てのＭＳに一斉送信する。そして、ＢＳＳは、ステップ８４０において、アイドル動作モードに戻る。通話ギャッピングメッセージを全てのサポートされるＭＳに一斉送信することと対照的に、このようなメッセージは、自動制御通話ギャッピングプロセスを用いるべき１つ又は複数のＭＳとして識別される場合、特定グループのＭＳ又は個々のＭＳに送り得る。
【００５１】
利点として、本発明の好適な実施形態は、短いメッセージサービス（ＳＭＳ：  Ｓｈｏｒｔ  Ｍｅｓｓａｇｅ  Ｓｅｒｖｉｃｅ）のメッセージ等のメッセージ伝達機能を用いて、全ての又は選択した数のＭＳに通話ギャッピング要件を一斉送信／通信し得る。この手法を特定ユーザ又はグループのユーザを対象に以下のような場合に使用することができる。
【００５２】
（ｉ）あるユーザが、極めて重いユーザとして認識され、より頻繁に通話ギャッピング処理され得る場合。
（ｉｉ）運用者が低減したいと望む（悪意でない可能性の）「サービス拒否」攻撃が存在する場合。このことは、誤った自動再ダイアルシステムに起因し得る。
【００５３】
（ｉｉｉ）何人かのユーザが、他の人々と異なるグレードのサービス（ＧｏＳ）を受け、従って、異なるレベルの通話ギャッピングの厳しさに耐える場合。
同様に、ＢＳＳは、ステップ８２５において、ＯＭＣから命令を受信すると、通話ギャッピングプロセスを修正する。この修正がなされると、ＢＳＳは、ステップ８３０において、特定の電話番号（１つ又は複数）又は宛先ノードＡの項目を除去することによって、再度、その通話ギャッピングリストを更新する。そして、ＢＳＳは、ステップ８３５において、修正通話ブロッキングメッセージを全てのサポートされるＭＳに一斉送信し、ステップ８４０において、アイドル動作モードに戻る。
【００５４】
ＭＳの方から見ると、本発明の好適な実施形態では、通話発呼を継続すべきか又は拒否すべきかに関する判断は、内部的に行われる。要求された通話を行うべきか否かに関する判断をＭＳが行うための多数のメカニズムが存在することを当業者は認識するであろう。好適なメカニズムは、ＭＳがランダムな試験番号を生成し、この番号をネットワークから受信された確率値と比較することである。このプロセスは、図９のフローチャート９００で説明する。
【００５５】
ＭＳは、ステップ９０５に示すように、アイドル動作モードで始まる。ＭＳは、そのサービス提供ＢＳＳから一斉送信メッセージを受信し、ステップ９１０において、例えば、ノードＡに対する通話ギャッピングプロセスを開始する。好適には、一斉送信メッセージは、ブロックされる通話の割合を含む。更に、一斉送信メッセージもまた、好適には、タイムアウト値Ｔを含む。ＭＳは、ステップ９１５において、一斉送信メッセージの受信に応答して、宛先Ａ用のその通話ギャッピングリストを更新し、９２０において、タイマ動作ステップを開始する。
【００５６】
そして、ＭＳは、ステップ９７０において、通話ギャッピングプロセスに関して、（タイマの動作とは別に）アイドル動作モードに戻る。ステップ９４０において、タイマＴ１が終了すると、イベントが終了したと予想する。また、ＭＳは、ステップ９２５において、一斉送信された“通話ギャッピング修正メッセージ”をそのサービス提供ＢＳＳから受信すると、イベントが終了したと理解する。これらのいずれかに応答して、ＭＳは、ステップ９３０において、宛先Ａの項目を除外することによって、その通話ギャッピングリストを更新する。そして、ステップ９３５において、タイマが停止した後、ＭＳは、ステップ９７０において、アイドル動作モードに戻る。
【００５７】
特定の宛先に対して通話ギャッピングプロセスが起動中である間、ユーザが、ステップ９４５において、宛先Ａへの通話の発呼を試みると、ＭＳは、ステップ９５０に示すように、着呼番号が通話ギャッピングリストにあるか否かを判断する。ステップ９５０において、着呼番号が通話ギャッピングリストにない場合、ＭＳは、ステップ９６０において、通話を設定する。しかしながら、ステップ９５０において、着呼番号が通話ギャッピングリストにあるとＭＳが判断した場合、ステップ９５５において、着呼番号をブロックすべきかについて判断を行う。この場合、ＭＳは、好適には、ランダム数発生器を用いて、例えば、０と１との間の値を生成する。そして、この値は、ＢＳＳによって通知されたブロッキング比率と比較される。値がブロッキング比率を超える場合、ＭＳは、ステップ９６０において、当然、通話を設定する。しかしながら、この試験が不合格になると、ＭＳは、ステップ９６５において、ネットワークビジー表示をユーザに戻した後、ステップ９７０において、アイドル動作モードに戻る。
【００５８】
この手法により、セルラ端末のインテリジェンスを利用して、希少な無線資源の使用方法がインテリジェントに管理されるという利点がある。
本発明の好適な実施形態について、ランダム数発生器構成を用いて通話ギャッピングプロセスを実行することを参照して説明したが、任意の数のメカニズムを用いて、通話発呼の合／否判定を行い得る。例えば、可能なメカニズムには以下のものが含まれる。即ち、
（ｉ）上述したようにランダム数発生器を用いること、
（ｉｉ）ＭＳが、合／否時間窓を演算すること、
（ｉｉｉ）ネットワークが、通話ギャッピング一斉送信メッセージにおいて、有効な及び／又は無効な時間窓を信号として（例えば、フラグを用いて）示すこと。この場合、合／否の機会は、セル中の全ての移動体に共通である。
【００５９】
ＭＳが一斉送信メッセージを受信すると、ＭＳは、これらの制約条件を記憶し、好適には、このメッセージに示した時間期間の間、起動する。このメッセージが再度受信されると、経過したタイマは、ゼロにリセットされ、再度開始する。このように、ネットワークは、満了時間期間内に規則的にこれらの制約条件を一斉送信しなければならず、そうでない場合、制約条件は、ＭＳ内において自動的に除去される。
【００６０】
様々なケースが、これまで述べた通話ギャッピングプロセスを呼び出し得ることは、本発明の予想の範囲内である。例えば、可能性として特定の地理的領域における事故の後、セルが過負荷又は輻輳状態である場合、通話ギャッピングは、その領域のあらゆる数のセルサイトに適用し得る。このように、地理的に選択された通話ギャッピングプロセスは、ＭＳの通常の通話を行う能力を、例えば、第１の割合だけ低減し、また、多数の通話を、例えば、他の第２の割合だけ特別な番号に低減し得る。この場合、特別な番号は、例えば、固有の緊急サービス番号を含み得る。
【００６１】
次に、図１０を参照して、無線通信ユニット、例えば、ＧＳＭ電話（ＭＳ）１０００のブロック図を示すが、これは、本発明の好適な実施形態の発明の概念をサポートするように構成されている。当分野において公知なように、また、ここで完全に再現したように、ＭＳ１０００には、例えば、好適には、アンテナ交換器１００４に結合されたアンテナ１００２等の標準無線周波数構成要素や回路が含まれる。アンテナ交換器１００４は、ＭＳ１０００内の受信機と送信機チェーンとの間を隔離する。受信機チェーンは、通常、（実際上、受信、フィルタ処理及び中間又は基底帯域周波数変換を行う）受信機フロントエンド回路１００６を含む。フロントエンド回路１００６は、信号処理機能１００８に直列接続されている。本発明の好適な実施形態に基づき、ＭＳ１０００は、ネットワークから通話ギャッピング一斉送信メッセージを受信し、処理し、また、それに応答してその動作を適合させる。
【００６２】
図９のフローチャート９００を参照して上述した通話ギャッピング一斉送信メッセージの処理及び実行に加えて、信号処理機能１００８は、当分野において公知なように、例えば、復調、デマッピング、ビット・デインターリーブ処理チャネル推定、及び復号処理を含み、ＭＳ１０００用の全ての信号処理機能を実行する。
【００６３】
更に詳細に述べると、受信機チェーンは、また、受信機フロントエンド回路１００６に接続された受信信号強度表示器（ＲＳＳＩ）回路１０１２及び（一般的に、デジタル信号プロセッサ（ＤＳＰ）によって実現される）信号処理機能１００８を含む。受信機フロントエンド回路１００６及び信号処理機能１００８にも接続されたコントローラ１０１４は、従って、回復された情報からビットエラーレート（ＢＥＲ）又はフレームエラーレート（ＦＥＲ）データを受信し得る。コントローラ１０１４は、復号化／符号化機能等の運用管理方式を記憶するためのメモリ装置１０１６に接続されている。本発明の好適な実施形態に基づき、メモリ装置は、ブロッキング比率（１つ又は複数）と共に、１つ又は複数の電話番号又は宛先ノード又はアドレスの内１つの通話ギャッピングリストを記憶し、その通話ギャッピングリストは通話ギャッピングプロセスに適用される。
【００６４】
タイマ１０１８は、コントローラ１０１４に接続され、ＭＳ１０００内において、動作（時間依存信号の送信又は受信）のタイミングを制御する。本発明において、タイマ１０１８は、ＭＳが、予め規定された（又は指示された）時間期間の間、指示を受けた通話ギャッピングプロセスを自動制御できるように構成されている。
【００６５】
当該分野でも公知な送信チェーンは、送信信号プロセッサ１００８を介して送信機／復調回路１０２２に直列接続されたマイク・トランスジューサ等の項目装置を本質的に含む。その後、あらゆる送信信号が電力増幅器１０２４を通過して、アンテナ１００２から放射される。送信機／復調回路１０２２及び電力増幅器１０２４は、コントローラに対して応答動作を行い、電力増幅器からの出力が全二重フィルタ又はサーキュレータ１００４に接続される。送信機／復調回路１０２２及び受信機フロントエンド回路１００６は、周波数アップコンバジョン機能及び周波数ダウンコンバージョン機能（図示せず）を含む。
【００６６】
本発明の好適な実施形態に基づき、信号プロセッサ１００８は、通話ギャッピングリストに格納された１つ又は複数の電話番号又は宛先ノード又はアドレスを用いるユーザからのあらゆる通話発呼を傍受するように構成されている。格納された通話ギャッピングリストからの１つ又は複数の電話番号又は宛先ノード又はアドレスが、ユーザによる傍受通話発呼に含まれるとＭＳ１０００が判断した場合、信号プロセッサ１００８は、通話要求を受け入れるか又は拒否するか判断する。
【００６７】
信号プロセッサ１００８は、更に、ランダム数発生器を含むように構成（又は動作可能に接続）されている。好適には、ユーザが、部分的にブロックされた（通話ギャッピング）アドレス／番号／ノードに通話を試みる時、ランダム数発生器が呼び出される。例えば、生成されたランダムな数が一斉送信メッセージで受信され、メモリ装置に記憶されたブロッキング比率と比較した後、通話が許されると信号プロセッサ１００８が判断した場合、ＭＳ１０００は、通常通り、その通話を処理する。そうでない場合、ＭＳ１０００は、好適には、ネットワークビジーメッセージをＭＳ１０００のディスプレイに送り、その後は、無線送信情報を生成しない。
【００６８】
勿論、ＭＳ１０００内の様々な構成要素は、本発明の概念を利用可能な任意の適切な機能的トポロジに配置し得る。更に、ＭＳ１０００内における様々な構成要素は、離散的又は集積構成要素の形態で実現でき、従って、最終的な構造は、ＭＳ設計者が選択し得る。
【００６９】
ランダム数生成方式の解決手法とは対照的に、通話ギャッピングを実現する他の選択肢のメカニズムは、成功通話発呼の数と、その後に不成功の発呼の数とをカウントして取り出し（即ち、整数の合／否比を設定し）得る。
【００７０】
第３（及びそれ以降）の世代のセルラ通信ユニットへの進化に伴い、無線加入者ユニット（ＭＳ）は、より複雑になり、また性能が改善されつつある。例えば、本明細書に述べた発明の概念は、理想的には、移動体実行環境（ＭＥｘＥ）用途に適し、これによって、このようなＭＳ通話ギャッピングを行う機能は、無線を介して、ＭＳにダウンロードされる（恐らくＪＡＶＡ（商標）で書き込まれる）。
【００７１】
本発明の好適な実施形態では、各々がそれに対応するブロッキング確率を備える宛先番号群のリストをネットワークから一斉送信し得る。この場合、各項目は、完全な数字であり得る。他の選択肢として、宛先ノード／番号は、ユーザ入力アドレスとの比較を行う際無視される１つ又は複数の番号を示すワイルドカードに基づいたものであってもよい。
【００７２】
本発明について、ＧＳＭ等の音声通信無線インターフェイスを参照して述べたが、本明細書に述べた発明の概念が、任意の無線通信システムに等しく適用可能であることは、本発明の想定の範囲内である。また、ＧＰＲＳ（又は、ユニバーサル移動体電気通信システム（ＵＭＴＳ）等の他のパケットデータ通信システム）に適用される場合、他の選択肢のアドレス指定メカニズムを用いると、本明細書に述べた発明の概念から恩恵を得ることができる。例えば、ＩＰアドレス、又はドメイン名サーバ（ＤＮＳ）アドレスをデータネットワーク化シナリオに用い得る。
【００７３】
本発明の好適な実施形態について、ＧＳＭ、ＧＰＲＳ、ＵＭＴＳ、ＩＳ−９５又はＣＤＭＡ２０００無線通信システムにおいて機能し得る無線通信ユニットの実施例を参照して述べたが、発明の概念は、インターネットプロトコル経由の音声を用いるパソコン等の固定通信ユニットにおいて適用し得る。通話ギャッピングプロセスを適用して他の手順を制御し得ることもまた、本発明の想定の範囲内である。例えば、発明の概念は、例えば、ＰＤＰコンテキスト起動要求のギャッピング（信号送信負荷の低減）によって任意のデータ接続、アタッチ、移動度管理手順に適用し得る。
【００７４】
上述した輻輳解放のための無線通信システム、無線通信ユニット及び方法は、次の内少なくとも１つ又は複数の利点を提供するのに役立つことを理解されるであろう。即ち、
（ｉ）通話ギャッピング手法を用いる輻輳解放を拡張して、無線通信環境における無線インターフェイストラフィックを最小化し、最終的に未接続通話となる通話が開始されることを防止し得る。
【００７５】
（ｉｉ）提示された輻輳解放メカニズムは、ＢＳＳとローカル（発信側）交換機との間の不要なトラフィックを低減し、これによって、成功する可能性がある通信のために、その資源を利用可能にする。
【００７６】
（ｉｉｉ）発明の概念は、任意のアドレスベースのケースに適用し得る。
（ｉｖ）例えば、「サービスの拒否」の攻撃を制御するための移動体を対象とする特定の通話ギャッピング。
【００７７】
本発明の特定の好適な実施例を述べたが、当業者がこのような発明の概念について変更や修正を容易に適用し得ることは明らかである。
このように、輻輳を低減するための無線通信システム、無線通信ユニット及び方法が提供され、従来技術の構成に関連する上記不利な点が実質的に軽減された。
【図面の簡単な説明】
【００７８】
【図１】セルラ無線通信システムの概念図を示し、非常に多くの通話が過負荷の宛先ノード／番号に転送されることを示す。
【図２】セルラ無線通信システムの概念図を示し、非常に多くの通話が過負荷の宛先ノード／番号に転送され、この時、通話ギャッピングが用いられることを示す。
【図３】ＯＭＣ用の通話ギャッピングメカニズムのフローチャートを示す。
【図４】発信交換機に実装された通話ギャッピングメカニズムのフローチャートを示す。
【図５】本発明の好適な実施形態の様々な発明の概念をサポートするように構成されたセルラ無線通信システムのブロック図を示す。
【図６】通信システムの概念図を示し、本発明の好適な実施形態に用いられる通話ギャッピングを示す。
【図７】本発明の好適な実施形態の様々な発明の概念をサポートするように構成されたＯＭＣ用の通話ギャッピングメカニズムのフローチャートを示す。
【図８】本発明の好適な実施形態の様々な発明の概念をサポートするように構成されたＢＳＳ用の通話ギャッピングメカニズムのフローチャートを示す。
【図９】本発明の好適な実施形態の様々な発明の概念をサポートするように構成されたＭＳ用の通話ギャッピングメカニズムのフローチャートを示す。
【図１０】本発明の好適な実施形態に基づき構成された無線通信ユニットを示す。
【図１】
2006524942.tif 000003
【図２】
2006524942.tif 000004
【図３】
2006524942.tif 000005
【図４】
2006524942.tif 000006
【図５】
2006524942.tif 000007
【図６】
2006524942.tif 000008
【図７】
2006524942.tif 000009
【図８】
2006524942.tif 000010
【図９】
2006524942.tif 000011
【図１０】
2006524942.tif 000012
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
無線通信システム（５００）であって、
複数の通信資源と、
前記複数の通信資源を利用する複数の移動局（５１２−５１６）であって、複数の移動局のうちの少なくとも１つが通話ギャッピングプロセスを用いるように構成されている複数の移動局と、
前記複数の移動局（５１２−５１６）の前記少なくとも１つによって開始された通信を宛先ノードに転送するための複数の通信経路とを備える無線通信システム。
【請求項２】
請求項１に記載の無線通信システム（５００）において、
前記複数の移動局（５１２−５１６）の前記少なくとも１つによって用いられる前記通話ギャッピングプロセスは、通常の通信に先立って行われて、成功する見込みのない通話が開始され、前記移動局（５１２）から送られることを防止する無線通信システム。
【請求項３】
請求項２に記載の無線通信システムにおいて、
要求された通話の無線通信システム（５００）へのアクセスが阻止された後、通信システムがビジーであるという表示がユーザに提供される無線通信システム。
【請求項４】
請求項１に記載の無線通信システム（５００）において、
前記通信システム（５００）は、更に、１つ又は複数のアドレス又は宛先ノードがいつ過負荷状態になるか判断する通信装置であって、その判断に応答して、複数の移動局に前記１つ又は複数のアドレス又は宛先ノードに対して自動制御通話ギャッピングプロセスを開始させるように指示する通信装置を備える無線通信システム。
【請求項５】
請求項１に記載の無線通信システム（５００）において、
前記複数の移動局（５１２−５１６）の前記少なくとも１つには、少なくとも１つの通話ギャッピング命令を含む無線メッセージが送られる無線通信システム。
【請求項６】
請求項５に記載の無線通信システム（５００）において、
前記少なくとも１つの通話ギャッピング命令は、
（ｉ）宛先ノードの１つ又は複数のアドレス、
（ｉｉ）１つ又は複数の電話番号、
（ｉｉｉ）１つ又は複数の通話ブロッキングレート、及び／又は、
（ｉｖ）タイムアウト値、
のグループの少なくとも１つから選択される無線通信システム。
【請求項７】
無線通信システムにおける輻輳解放の方法（７００、８００、９００）であって、
通話ギャッピング動作モードを呼び出す段階と、
前記無線通信システムで動作する無線通信ユニットにおいて前記通話ギャッピングプロセスを実行する段階（９００）とを備える方法。
【請求項８】
請求項７に記載の無線通信システムにおける輻輳解放の方法であって、更に、
要求された通話の無線通信システム（５００）へのアクセスが阻止された後、通信システムがビジーであることをユーザに示す段階を備える方法。
【請求項９】
請求項７に記載の無線通信システムにおける輻輳解放の方法であって、更に、
いつ１つ又は複数のアドレス又は宛先ノードが過負荷の状態になるか判断する段階と、
その判断に応答して、前記１つ又は複数のアドレス又は宛先ノード用の自動制御通話ギャッピングプロセスを複数の移動局に開始させるように命令する段階とを備える方法。
【請求項１０】
請求項７に記載の無線通信システムにおける輻輳解放の方法であって、更に
無線メッセージを前記複数の移動局の前記１つ又は複数に送る段階を備え、前記メッセージは、
（ｉ）宛先ノードの１つ又は複数のアドレス、
（ｉｉ）１つ又は複数の電話番号、
（ｉｉｉ）１つ又は複数の通話ブロッキングレート、及び
（ｉｖ）タイムアウト値、
のグループから選択される少なくとも１つの通話ギャッピング命令を含む方法。